(57)【要約】【課題】コネクタ全体が大型化せずかつ単純化され、基板装着もコンタクトが変形することなく容易に行えるようにする。【解決手段】プリント基板２０の一つの辺部分を複数箇所で挟み込んで保持する弾性変形する基板係止用フックを有する。また、プリント基板２０及び基板用コネクタ１０が係合した状態のものはケース内に収容されるが、このケースは２つに分割されており、これらケース即ち、ケース上蓋３０及びケース下蓋４０それぞれの係合用突出部３１、４１を挟み込む、複数本のリブ（１３〜１６）がコネクタハウジング１１に形成されており、係合用突出部３１、４１をリブ（１３〜１６）で挟み込むことによって防水効果も得られるようになっている。【選択図】図１
2007335297.tif 000002
【特許請求の範囲】
【請求項１】
プリント基板を固定保持してこのプリント基板の電極にコンタクトの一端を接続する基板用コネクタであって、
前記プリント基板を前記コンタクトの接続部分の延長方向と平行な方向で押し込んでこのプリント基板の一つの辺部分を複数箇所で、弾性変形して挟み込み保持する基板係止用フックを有することを特徴とする基板用コネクタ。
【請求項２】
請求項１の構成に加えて、接続済み、固定状態のプリント基板及び基板用コネクタを内側に収容するケースを備えて成り、前記ケースが、前記基板用コネクタとの係合部分でコネクタ側に突出する係合用突出部を備え、かつ収容を容易にするため２つに分割された構造を有し、
前記基板用コネクタには、前記ケースとの係合部分に、前記ケースの係合用突出部を挟み込む複数本のリブが形成された構造であることを特徴とする基板用コネクタ。
【請求項３】
請求項２における基板用コネクタのケースとの係合部分が、ケースの係合用突出部を挿入する溝であることを特徴とする基板用コネクタ。
【発明の詳細な説明】
【技術分野】
【０００１】
本発明は、プリント基板を固定してこのプリント基板の電極にコンタクトの一端を接続する構造の基板用コネクタに関する。
【背景技術】
【０００２】
従来のこの種の基板用コネクタとしては、図５（ａ）、（ｂ）に示すような構造のもの（背景技術における第１の例）や、図６（ａ）、（ｂ）に示す構造のもの（背景技術における第２の例）などがある。
【０００３】
第１の例の基板用コネクタ１０ｘでは、コネクタハウジング１１ｘから下方に突出したコンタクト１２ｘをプリント基板２０ｘに接続してこの基板用コネクタ１０ｘをプリント基板２０ｘに固定するために、プリント基板２０ｘに取付穴２３ｘを明け、基板用コネクタ１０ｘには、そのコネクタハウジング１１ｘから下方に延びて取付穴２３ｘに挿入される基板係止用フック１７ｘが形成された構造となっており、取付穴２３ｘに挿入された基板係止用フック１７ｘは、取付穴２３ｘを通過した後、外側に開いて、プリント基板２０ｘに固定される構造となっている。
【０００４】
この第１の例の基板用コネクタ１０ｘでは、基板係止用フック１７ｘが取付穴２３ｘを通過後、外側に開き、かつプリント基板２０ｘにしっかり固定されることが必要であり、基板係止用フック１７ｘは、弾性を有すると共に強度が必要なため、この基板係止用フック１７ｘをコネクタハウジング１１ｘの他の部分と結合するようになっており、従って、基板用コネクタ１０ｘ全体が大きくなり、また、構造的にも複雑となってコスト高になる、という問題点がある（例えば、特許文献１参照）。
【０００５】
また、第２の例の基板用コネクタ１０ｙでは、コネクタハウジング１１ｙの下面側に、プリント基板２０ｙを位置決め固定するために、基板位置決め固定部１９ｙが形成されており、この基板位置決め固定部１９ｙとコネクタハウジング１１ｙの下面との間にプリント基板２０ｙの一辺を挿入してコンタクト１２ｙの一端をプリント基板２０ｙのコンタクト接続部２１ｙに挿入し、プリント基板２０ｙをねじ５０ｙで基板用コネクタ１０ｙに固定する構造となっている（例えば、特許文献２参照）。
【特許文献１】特許第３２０７１６２号公報（図４、図７）
【特許文献２】特開２００４−２１４０９３号公報（図３、図４）
【発明の開示】
【発明が解決しようとする課題】
【０００６】
上述した背景技術における第１の例では、プリント基板２０ｘの取付穴２３ｘに基板係止用フック１７ｘを挿入して外側に開き、プリント基板２０ｘに固定する構造となっているので、基板係止用フック１７ｘは弾性を有し、かつ強度も必要なため、基板用コネクタ１０ｘ全体が大型化し、構造的にも複雑になってコスト高になる、という問題点があり、また、第２の例では、コネクタハウジング１１ｙの下面に基板位置決め固定部１９ｙを形成して、この基板位置決め固定部１９ｙとコネクタハウジング１１ｙとの間にプリント基板２０ｙを挿入してねじ５０ｙで固定する構造となっており、基板位置決め固定部１９ｙは、プリント基板２０ｙを挟み込む部分が長いため、プリント基板２０ｙを挟み込んだ後、コンタクト１２ｙの一端をプリント基板２０ｙのコンタクト接続部２１ｙに接続するとき、このコンタクト接続部２１ｙがスルーホール型であるとコンタクト１２ｙが挿入困難であり、無理やり挿入しようとすると、コンタクト１２ｙが変形する、という問題点があった。
【０００７】
本発明の課題は、上記背景技術における問題点に鑑みて、コネクタ全体が大型化することなく構造的にも単純化され、かつ基板装着の際コンタクトが変形することなく容易に装着することができる基板用コネクタを提供することにある。
【課題を解決するための手段】
【０００８】
上記の課題を解決するために、本発明は以下の各手段構成を有する。
本発明の第１の構成（基本構成）は、プリント基板を固定保持してこのプリント基板の電極にコンタクトの一端を接続する基板用コネクタであって、前記プリント基板を前記コンタクトの接続部分の延長方向と平行な方向で押し込んでこのプリント基板の一つの辺部分を複数箇所で、弾性変形して挟み込み保持する基板係止用フックを有することを特徴とする基板用コネクタである。
【０００９】
本発明の第２の構成は、前記第１の構成に加えて、接続済み、固定状態のプリント基板及び基板用コネクタを内側に収容するケースを備えて成り、前記ケースが、前記基板用コネクタとの係合部分でコネクタ側に突出する係合用突出部を備え、かつ収容を容易にするため２つに分割された構造を有し、前記基板用コネクタには、前記ケースとの係合部分に、前記ケースの係合用突出部を挟み込む複数本のリブが形成された構造であることを特徴とする基板用コネクタである。
【００１０】
本発明の第３の構成は、前記第２の構成における基板用コネクタのケースとの係合部分が、ケースの係合用突出部を挿入する溝であることを特徴とする基板用コネクタである。
【発明の効果】
【００１１】
本発明第１の構成（基本構成）においては、プリント基板をコンタクトの接続端延長方向と平行な方向に押し込んだとき、このプリント基板の一つの辺部分を複数箇所で弾性変形して挟み込み保持する基板係止用フックを有する構造となっているので、コネクタ全体が大型化することなく構造的にも単純化されてローコスト化することができる上、基板装着の際、コンタクトを変形させることなく容易に装着保持することができる。
【００１２】
第２の構成においては、ケースがコネクタとの係合部分で、内側に突出する係合用突出部を備えており、コネクタにはケースの係合用突出部を挟み込む複数本のリブが形成されているので、これらリブによって、ケースの内側に水滴が流れ込むのを防ぐことができる。
【００１３】
第３の構成においては、第２の構成におけるコネクタのケースとの係合部分をケースの係合用突出部を挿入する溝としているので、防水効果は第２の構成と同様であるほか、構造が単純化され、かつ小型化されるという利点もある。
【発明を実施するための最良の形態】
【００１４】
本発明においては、プリント基板を固定保持してこのプリント基板の電極にコンタクトの一端を接続するとき、通常、プリント基板の電極とコンタクトとの位置が合うように基板位置決め部材を設けるのが一般的であるが、この基板位置決め部材があっても、プリント基板が容易に固定保持でき、かつコンタクトの接続ができるように、プリント基板の一つの辺部分を２箇所で挟み込んで保持する弾性変形する基板係止用傾斜形フックを有する構造とするのが最良である。
【００１５】
更に、取付済の基板用コネクタ及びプリント基板は、通常、ケース内に収容されるのが一般的であり、ケースには、コネクタとの係合部分で内側に突出する係合用突出部が形成されており、また、このケースは、コネクタとの係合を容易にするため２分割されており、基板用コネクタには、ケースとの係合部分に、ケースの係合用突出部を挟み込む複数本のリブが形成された構造となっている。
また、ケースを２分割した場合のリブを設けるにあたっては、ケース上蓋の後側のリブとケース下蓋の前側のリブは連続したものとするのが防水構造として最良である。
【実施例】
【００１６】
以下、本発明の実施例について、図面を参照して説明する。
図１（ａ）、（ｂ）は本発明の一実施例を説明するためのケース収容状態の全体を示す部分断面斜視図、及びそのケース部分を一部破断した部分断面側面図である。
図２（ａ）、（ｂ）は、ケース内に収容されるプリント基板及び基板用コネクタの図１に対し上下を入れ替えた状態の分解斜視図、及び両者取付済の斜視図である。
図３（ａ）、（ｂ）は、プリント基板及び基板用コネクタ部分の分解側面図、及び両者取付済の側面図である。
また、図４は、取付済のプリント基板及び基板用コネクタをケース内に収容する状態を示す分解斜視図である。
【００１７】
この実施例においては、まず、プリント基板２０に基板用コネクタ１０を取付ける。
プリント基板２０には、スルーホール型のコンタクト接続部２１が形成されており、また、このコンタクト接続部２１とコンタクト１２との間の位置決めを行う基板位置決め用穴２２が形成されている。
【００１８】
これに対し、基板用コネクタ１０は、コネクタハウジング１１、複数本のコンタクト１２のほかに、ケース（３０、４０）の係合用突出部（３１、４１）を挟み込んで保持するリブ（１３〜１６）と、プリント基板２０の一つの辺部分を２箇所で挟持する基板係止用フック１７と、プリント基板２０をコンタクト１２の接続端延長方向と平行な方向に移動させる基板位置決め用突起１８と、が形成されている。
【００１９】
基板用コネクタ１０の基板位置決め用突起１８をプリント基板２０の基板位置決め用穴２２に挿入して、プリント基板２０を押し込むと同時に各コンタクト１２を対応するコンタクト接続部２１に挿入し押し込むと、基板用コネクタ１０の基板係止用フック１７にプリント基板２０の一つの辺部分が挟持されて係合し、各コンタクト１２の奥まで対応するコンタクト接続部２１が挿入されるので、この状態でコンタクト１２・コンタクト接続部２１間を半田付け接続する（図２、図３参照）。
【００２０】
この後、図４及び図１に示すように、ケース３０、４０の係合用突出部３１、４１を基板用コネクタ１０のリブ（１３〜１６）間に挿入してケース（３０、４０）内に収容し、ねじ５０でこれらを固定する。
この状態についてもう少し詳細に説明すると、ケースは、ケース上蓋３０及びケース下蓋４０に２分割されており、基板用コネクタ１０のリブは、ケース上蓋用前側リブ１３と、ケース上蓋用後側リブ１４と、ケース下蓋用前側リブ１５と、ケース下蓋用後側リブ１６とから成り、ケース上蓋３０の係合用突出部３１がケース上蓋用前側リブ１３・ケース上蓋用後側リブ１４間に挿入され、ケース下蓋４０の係合用突出部４１がケース下蓋用前側リブ１５・ケース下蓋用後側リブ１６間に挿入されるようになっている。
ケース３０の突出部３１とケース４０の突出部４１とは、コネクタの嵌合離脱方向にずらして形成しているので、ケースに水が掛った場合でも水がケース内に入り込みにくい構造になっている。
又、コネクタ嵌合及び離脱時の力、あるいはコネクタに外力が加わった場合には、ケースの突出部（３１、４１）とコネクタのリブ（１３、１４、１５、１６）とが力を受けるため、コンタクトと基板との接続部に負荷が掛らない。
【００２１】
この実施例ではケースの係合用突起をリブ間に挿入してコネクタ・ケース間を係合するようにしているが、コネクタに係合用突起を挿入する溝を形成して、この溝に係合用突起を挿入し、固定保持する構造としてもよい。
【図面の簡単な説明】
【００２２】
【図１】本発明の一実施例を説明するためのケース収容状態全体の部分断面斜視図及びそのケース部分を一部破断した部分断面側面図である。
【図２】図１におけるケース内に収容されているプリント基板及び基板用コネクタの、図１に対し上下を入れ替えた状態の分解斜視図及び取付後の斜視図である。
【図３】図２におけるプリント基板・基板用コネクタ部分の分解側面図及び両者取付後の側面図である。
【図４】取付後におけるプリント基板及び基板用コネクタをケース内に収容する状態を示す分解斜視図である。
【図５】背景技術における第１の例を説明するための基板係止部分の側面図及び斜視図である。
【図６】背景技術における第２の例を説明するための組立前後の側面図である。
【符号の説明】
【００２３】
１０、１０ｘ、１０ｙ  基板用コネクタ
１１、１１ｘ、１１ｙ  コネクタハウジング
１２、１２ｘ、１２ｙ  コンタクト
１３  ケース上蓋用前側リブ
１４  ケース上蓋用後側リブ
１５  ケース下蓋用前側リブ
１６  ケース下蓋用後側リブ
１７、１７ｘ  基板係止用フック
１８  基板位置決め用突起
１９ｙ  基板位置決め固定部
２０、２０ｘ、２０ｙ  プリント基板
２１、２１ｙ  コンタクト接続部
２２  基板位置決め用穴
２３ｘ  取付穴
３０  ケース上蓋
３１  係合用突出部
４０  ケース下蓋
４１  係合用突出部
５０、５０ｙ  ねじ
【図１】
2007335297.tif 000003
【図２】
2007335297.tif 000004
【図３】
2007335297.tif 000005
【図４】
2007335297.tif 000006
【図５】
2007335297.tif 000007
【図６】
2007335297.tif 000008